(57)【要約】  本発明は、エラストマーのスピンドルスリーブ（１００）のポケット（１０１）の中に移動可能にはめ込まれる応答機（２００）を備える。ポケットは、硬化または加硫中にスリーブに形成されるプラスチックの結合部を有する。スリーブの硬化または加硫が終了すると、ポケットの中に応答機が挿入される。ポケットの開口端は、接着剤によって密閉される。応答機は、製造過程において、ポケットの中に成型されておらず、さらにポケットに接合されていないので、応答機はポケットの中を動くであろう。このことは、スリーブが撓む間、応答機に伝達されるストレスを最小化し、それにより応答機の寿命は延びる。応答機は、手持ちサイズのまたは固定の電気装置によって読み取ることができる製造データを受け取り、蓄積し、さらに送信する。応答機は、取り付けられたプラスチックまたは紙のラミネートに加えて、マイクロチップとアンテナを備える。応答機は、アンテナによって受け取られるＲＦエネルギーによって作動させられ、それゆえバッテリーは不要である。
2005514807.tif 000002
【特許請求の範囲】
【請求項１】
収容部材を有し、硬化されたエラストマー生産物と、
処理装置と、遠隔操作のための電気的装置と情報を交換するための、シグナルアンテナとを備える応答機の回路と、
を備え、
前記応答機の回路は、前記収容部材の中に封入され、
前記収容部材はさらに、加硫工程において一方の面がエラストマーに接合されるピースを有することを特徴とするデータシステム。
【請求項２】
前記応答機が製品情報を受信しまたは送信するために、前記応答機に信号を送るための呼びかけ機ユニットをさらに備えることを特徴とする請求項１に記載のデータシステム。
【請求項３】
前記応答機の回路が、製品情報を蓄積するためのメモリ部と、呼びかけ機からの信号を受信するための受信機と、前記メモリ部に蓄積された情報を呼び出し、かつ送信するための送信機とを備えることを特徴とする請求項１に記載のデータシステム。
【請求項４】
前記応答機は、接着剤によって前記収容部材の中に封入されることを特徴とする請求項１に記載のデータシステム。
【請求項５】
前記ピースは可撓性があって、非金属材料で構成されることを特徴とする請求項１に記載のデータシステム。
【請求項６】
エラストマー本体と、
前記エラストマー本体に形成される収容部材とを備え、
前記収容部材は電気的なデータの自動記録装置を収容するための適切な形を有することを特徴とするスリーブ。
【請求項７】
前記収容部材は、前記エラストマーに接合するのみに適する物質で構成されることを特徴とする請求項６に記載のスリーブ。
【請求項８】
前記電気的なデータの自動記録装置は、前記エラストマー本体の加硫の後に、前記収容部材の中に封入される応答機を備え、前記応答機は、データ受信部と、データ蓄積部と、データ送信部とを備えることを特徴とする請求項７に記載のスリーブ。
【請求項９】
前記応答機は、前記収容部材の中を移動可能であることを特徴とする請求項８に記載のスリーブ。
【請求項１０】
前記応答機は、２ｍｍ未満の厚さを備えることを特徴とする請求項９に記載のスリーブ。
【請求項１１】
前記エラストマー本体の中に、長手方向に巻き付けられる心線をさらに備えることを特徴とする請求項９に記載のスリーブ。
【請求項１２】
前記収容部材は、密閉可能であることを特徴とする請求項９に記載のスリーブ。
【請求項１３】
前記収容部材は、放射状に心線の外側にあることを特徴とする請求項１２に記載のスリーブ。
【請求項１４】
歯形の断面を有することを特徴とする請求項１３に記載のスリーブ。
【請求項１５】
電気的なデータの自動記録装置が移動可能に入れられるための密封されるポケットを有するスリーブを使用する工程と、
紡績材コイルを形成するための巻き付け工程の一部として前記電気的なデータの自動記録装置にデータを送信する工程と、
前記電気的なデータの自動記録装置からデータを受信する工程とを備える紡績材の製造方法。
【請求項１６】
前記電気的なデータの自動記録装置のメモリ部にデータを蓄積する工程をさらに備える請求項１５に記載の方法。
【請求項１７】
紡績材コイルから前記スリーブを取り去る工程をさらに備える請求項１６に記載の方法。
【請求項１８】
可撓性の非金属材料に前記電気的なデータの自動記録装置を据え付ける工程をさらに備える請求項１５に記載の方法。
【発明の詳細な説明】
【技術分野】
【０００１】
本発明は応答機を備えるスピンドルスリーブ、特に、固定せずに応答機を収容するためのポケットを備えるスピンドルスリーブに関する。
【背景技術】
【０００２】
ガラス繊維を含む種々の紡績材は、紡績工程において製造される。繊維は紡がれ、そして、スピンドルに巻き付けられる。スピンドルは一般的に厚板紙でできた円筒である。
【０００３】
製造工程において必要なことは、製造工程が終了すると直ちに、それぞれのスピンドルに何かの情報を書き込むことである。このことは、それぞれのスピンドル上のガラス繊維を特定することおよび探知することを可能にする。
【０００４】
概して、情報はそれぞれのスピンドルに、人またはバーコードリーダーによって読まれるために視覚的に書き込まれる。
【０００５】
情報の書き込みおよび読み取りは、他の非視覚的な手段によっても可能である。例えば、応答機を製品中に入れて成型することも可能であろう。応答機は、使用者の要求に応じて、情報を蓄積し送信する。応答機は一般的に、蓄積された情報が必要とされるとき、呼びがけ機によって問い合わせられる。
【０００６】
代表的な従来技術は、ギルズ（Giles）等の米国特許第５，０２８，９１８号明細書(１９９１年)であって、ここには、応答指令信号に応答することができ、かつ個々の固有の識別コードを伝達することができる受動回路であろう応答機の回路が開示される。
【０００７】
また、代表的な従来技術は、PAVカード株式会社（PAV Card GmbH）の欧州特許公開９５６５３７号公報であって、ここには遠隔操作できる送出機と読取機の間のデータ伝達のための伝達モジュールが開示される。
【０００８】
また、代表的な従来技術はウィブマー株式会社（Wibmer GmbH）の国際公開第９９／２３０２４号公報であって、ここには相互に連結させられた複数の層を有する糸巻き状のスリーブが開示され、内部層には切り込みが設けられ、その切り込み内には応答機が埋設され、応答機の大部分は少なくとも、スリーブと応答機の間の不一致が生じないように切られた細長い一片とほとんど同じである。
【０００９】
しかし、従来技術の応答機は、製品中に成型される。そのため、製品の撓曲で生じる応答機に伝えられるひずみによって、機械的な損傷が引き起こされやすい。使用中の応答機の撓曲の繰り返しは、早期の故障を引き起こす。
【００１０】
要求されるのは、電気的なデータ処理手段を有するスピンドルスリーブである。要求されるのは、データの受信と送信のための応答機を有するスピンドルスリーブである。要求されるのは、応答機を収容するための密閉可能なポケットを有するスピンドルスリーブである。要求されるのは、応答機を撓ませることなく収容するための手段を有するスピンドルスリーブである。要求されるのは、伝えられるひずみを小さくするための、抗張心線から外側に放射状に広がるように位置する密閉可能なポケットを有するスピンドルスリーブである。本発明はこれら要求に一致する。
【発明の開示】
【発明が解決しようとする課題】
【００１１】
本発明の主たる目的は、電気的なデータ処理手段を有するスピンドルスリーブを提供することである。
【００１２】
本発明の他の目的は、データ受信および送信のための応答機を有するスピンドルスリーブを提供することである。
【００１３】
本発明の他の目的は、応答機を収容するための密閉可能なポケットを有するスピンドルスリーブを提供することである。
【００１４】
本発明の他の目的は、応答機を撓めないように収納するための手段を有するスピンドルスリーブを提供することである。
【００１５】
本発明の他の目的は、伝えられるひずみを小さくするために、抗張心線から外側に放射状に広がるように位置する密閉可能なポケットを有するスピンドルスリーブである。
【００１６】
本発明の他の目的は、以下の発明の明細書と添付図面によって明らかにされ、または指摘されるであろう。
【００１７】
本発明は、エラストマーのスピンドルスリーブ上のポケットの中に移動可能にはめ込まれる応答機を備える。ポケットは、硬化または加硫中にスリーブ中に形成されるプラスチックの結合部を有する。スリーブの硬化または加硫が終了すると、応答機はポケットに挿入される。ポケットの開口端は、接着剤によって密閉される。製造中に応答機はポケット中に成型されない、ないしポケットに固定されないので、ポケット内部で動くであろう。このことは、スリーブが撓曲する間に、応答機に伝えられるであろうひずみを最小にし、それによって応答機の寿命を延ばすことができる。応答機は、手持ちサイズのまたは固定の電気装置によって製造データを受け取り、蓄積し、さらに送信する。応答機は、取り付けられたプラスチックまたは紙のラミネートに加えて、マイクロチップおよびアンテナを有する。応答機は、アンテナから受けるＲＦ（無線通信の周波数）のエネルギーによって作動させられるので、バッテリーは必要とされない。
【００１８】
添付図面は、明細書の一部に組み込まれ、明細書の一部を構成し、本発明の好ましい実施形態を説明し、そして詳細な説明とともに本発明の本質の説明を提供する。
【発明を実施するための最良の形態】
【００１９】
図１は、スリーブポケット中の応答機の斜視図である。応答機２００は、コイルアンテナ２０２に接続されるマイクロ処理装置２０１を有する。応答機とアンテナは、エラストマースリーブ１００の中に形成されるポケット１０１の中に封入される。スリーブは、例えば紡績機において使用される。
【００２０】
スリーブ１００は、エラストマーベルトの製造技術として知られている方法によって作られる、つまりエラストマーの連続的な層が、ビルドマンドレル上に積層される（図示せず）。製造中、ポリエステルプラスチックの一枚のピース１０２は、エラストマー層の間に配置される。ピース１０２は、使用温度に応じて織物または非織物の材料で構成される。抗張心線も、図４に示すようにスリーブビルドに巻き付けられる。スリーブは、紡績過程において発生する遠心力に抗するために、抗張心線が長手方向に巻き付けられて、製造される。スリーブは５０００ｒｐｍかそれ以上の回転スピードを経験するかもしれない。抗張心線は、ポリエステル、ガラス繊維、ナイロン６．６、ナイロン４．６、アラミド、綿、および従来知られている等価の材質によって構成されるであろう。ビルドアップベルトは、熱と圧力が付与されることにより、硬化されまたは加硫される。加硫スラブは、個々のスリーブに切り分けられるであろう。
【００２１】
ピース１０２は、収容部材すなわちポケット１０１を備える中空を形成するために、連続的なエラストマー層の間に薄層状に形成される。ピース１０２は、隣接するエラストマー層がこのピースを横切って接合するのを防止する。ピース１０２は、図４に示すように、抗張心線とコードの外側のエラストマー層１０５の間において、抗張心線の外側において放射状に配置される。これは、図３に示すようにスリーブを紡績機に取り付けるときに応答機がスピナーマンドレルと抗張心線の間で破砕されるのを防止するためである。ピース１０２は、硬化または加硫中にエラストマーの単一面にのみ接合する非金属材料である。これは、硬化または加硫中に、エラストマー層が接合されないまま、収容ポケットが形成されることを保証する。さらに、ピース１０２は、ＲＦ信号が、応答機のアンテナによって受信され、また応答機のアンテナから送信されるのを妨害しないように、非金属である。代替的に、図４に示すように適切な最終的なスリーブの厚さｔを与えるために、硬化または加硫後に、応答機が挿入されるとすぐに、ピース１０２はスリーブから取り去られても良い。多様なピース１０２の厚さは、適切な最終的なスリーブ厚さを達成させるために用いられるであろう。
【００２２】
代替的に、応答機がポケットに挿入されたとき、全体の円周の適切な一定の最終的な厚さが達成されるために、ポケットを入れるエラストマー層の一部は、製造中に省略されて、ピース１０２に応答機の厚さが加えられても良い。
【００２３】
加硫または硬化が完了するとすぐに、ベルトビルドはそれぞれがポケット１０１を有する適切な幅に切り分けられる。応答機２００は、ポケット１０１の中に挿入される。応答機２００が挿入されると、シアンアクリレートやその他等価のもののように、適切な接着剤が使用されてポケットの開口端１１１は密閉封入される。
【００２４】
ポケットの開口端は封入して閉められるが、応答機２００は、ポケットには固定されない。代わりに、応答機２００は、封入されたポケット内を自由に動き、紡績機からの取り外しの間、またはグラスコイルからの取り外しの間、スリーブの撓曲によって応答機に伝えられるひずみを最小化しまたはなくす。
【００２５】
図２は、応答機の平面図である。応答機２００は、内部の動力供給源を持たない受動回路である。応答機は、呼びかけ機からの無線電信の周波数（ＲＦ）またはクロック信号を受信する。それは、コイルアンテナ２０２を通る入力信号からの電圧を蓄積する。応答機２０２は、送出された信号から蓄積される電圧を使用して、処理装置２０１に電力を供給し、処理装置２０１はメモリを読みかつ適切な返答を呼びかけ機に送信する。
【００２６】
上述の態様の応答機は、従来知られている。例えば、限定されるわけではないが、適切な応答機はドイツのPAVカード株式会社によって製造される。特定の製品は、PAVモデルナンバー16A-MIRである。処理装置２０１とコイルアンテナ２０２は、耐久性があり可撓性があるプラスチック材２０３によってラミネートされる。ラミネートされた応答機の全体の厚さは、１ｍｍ未満である。応答機のこの形態は、非常に薄く、耐摩耗性が高く、そして特に、スリーブ全体の厚さが最大およそ３ｍｍに限定される場合の適用に好適である。この例は、手段の限定を表すわけではなく、いかなる等価の応答機も同様の役割を果たす。材２０３は、ＲＦ信号を妨害しないように非金属である。
【００２７】
図３は、本発明のスリーブを含む紡績機の一部の斜視図である。使用において、応答機を有するゴムスリーブは、例えばガラス繊維を紡ぐための紡績機に取り付けられる。紡績機は、図３に部分的に示すように、コイルがその上に巻き付けられるマンドレル部材を有する。図３に示すマンドレル部材Ｍの描写は、説明に役立てるための例であって、紡績機の特に形状または態様を限定するために示されたものではない。マンドレルの突出物Ｍは、一般的に円筒形状である。マンドレル部材は、従来知られている方法で紡績機によって操作される。本発明のスリーブは、マンドレル部材に配置されると一般的にベルトのような形状を有する。
【００２８】
紡績材は、製造中において、スリーブ上に紡がれる。スリーブにファイバーコイルが載せられると、マンドレル部材Ｍは内側に折り畳められ、かつスリーブの内径から取り去れる。コイルは、取り扱われ積み出される間中、可撓性のあるスリーブ上に残される。コイルが使用者によって受け取られると直ちに、応答機は読まれる。可撓性のあるスリーブは、内部に折り曲げられ、ガラス繊維コイルから取り去られる。この結果、各ガラス繊維コイルに使用しなければならず、１回もしくは数回の使用の後に捨てる厚紙板スピンドルのようなスピンドルを要求する方法において、多数の節約をもたらす。厚紙板スピンドルとは異なり、本発明のスリーブは製造者によって再使用され、使用回数は、スリーブそれ自身の耐久性のみによって限定される。
【００２９】
操作において、紡績作業の前または間に、スリーブに巻き付けられる材料に関する製造情報は、使用者によって決定される。その情報は、発信機にロードされる。発信機は、スリーブ中の応答機にその情報を送信する。情報は応答機のメモリ部に蓄積される。
【００３０】
使用の要所において、呼びかけ機は、スリーブ中の応答機に問い合わせる。呼びかけ信号に対する応答において、応答機は、特にスリーブに巻き付けられた材料についての、製造中にロードされる情報を、送信する。応答機は、例えばバーコードリーダーのように、いかなる視覚的な読取機を使用しないで、読み取られる。特記すべきことは、応答機の処理装置は、読み取り／書き込みすることができ、これによりスリーブが繰り返し使用されることを許容する。
【００３１】
図４は、本発明のスリーブの図５における４−４上の断面図である。応答機２００は、示されるように、ポケット１０１の中に入れられる。ポケット１０１は、エラストマー層１０５と抗張心線１０７の間にあるピース１０２によって形成される。エラストマー層１０８は、心線の下の層である。スリーブは、図５に示すように、歯形の断面１０９を有しても良く、これによりスリーブとマンドレル部材の間の噛み合いを強めることができる。スリーブは、歯形の断面でなくても良く、図５に示す反対の側面に歯形の断面を有していても良い。
【００３２】
ここでは、発明の一態様が述べられたが、一部の構成及び連関における変形が、本発明の精神あるいは範囲から逸脱することなく、当業者によって作られるであろうことは明らかである。
【図面の簡単な説明】
【００３３】
【図１】スリーブポケット中の応答機の斜視図である。
【図２】応答機の平面図である。
【図３】本発明のスリーブを含む紡績機のマンドレルの一部の斜視図である。
【図４】本発明のスリーブの図５における４−４上の断面図である。
【図５】スリーブの歯の断面図である。
【図１】
2005514807.tif 000003
【図２】
2005514807.tif 000004
【図３】
2005514807.tif 000005
【図４】
2005514807.tif 000006
【図５】
2005514807.tif 000007
【国際調査報告】
2005514807.tif 000008
2005514807.tif 000009